(57)【要約】【課題】  予め用意されている待受画像の中に好みの待受画像がない場合には、好みの待受画像をディスプレイに表示することができず、また、好みの待受画像がある場合でも、長期間使用すると飽きが生じるなどの課題があった。【解決手段】  記憶部１７の撮像画像記憶領域１７ａに記憶されている少なくとも１以上の撮像画像のうち、待受画像に使用する撮像画像を選択し、その撮像画像をディスプレイ１４に表示する。【選択図】        図２
2005039859.tif 000002
【特許請求の範囲】
【請求項１】
外部に保存されている複数の撮像画像の中から選択された撮像画像を入力する画像入力手段と、
上記画像入力手段により入力された撮像画像を記憶する記憶手段と、
上記記憶手段に記憶されている少なくとも１以上の撮像画像のうち、待受画像に使用する撮像画像を選択し、その撮像画像を待受画像としてディスプレイに表示する画像生成手段と
を備えた携帯電話機。
【請求項２】
画像生成手段は、時計画像を撮像画像に合成し、合成後の撮像画像をディスプレイに表示することを特徴とする請求項１記載の携帯電話機。
【請求項３】
予め用意された複数の時計画像のうち、撮像画像に合成する時計画像の選択操作を受け付けてその時計画像を設定する設定手段を設けたことを特徴とする請求項２記載の携帯電話機。
【請求項４】
撮像画像に合成する時計画像の大きさの選択操作を受け付けてその時計画像の大きさを設定する設定手段を設けたことを特徴とする請求項２記載の携帯電話機。
【請求項５】
撮像画像に合成する時計画像の表示位置の選択操作を受け付けてその時計画像の表示位置を設定する設定手段を設けたことを特徴とする請求項２記載の携帯電話機。
【請求項６】
ディスプレイは、多値画像の表示が可能であり、
画像生成手段は、時計画像領域の少なくとも一部を透過して撮像画像と合成する
ことを特徴とする請求項２記載の携帯電話機。
【請求項７】
画像生成手段は、撮像画像の明度を時計画像の明度より高めて合成する
ことを特徴とする請求項６記載の携帯電話機。
【請求項８】
画像生成手段は、記憶手段に複数の撮像画像が記憶されている場合、設定時間を経過する毎に待受画像に使用する撮像画像を変更することを特徴とする請求項１記載の携帯電話機。
【請求項９】
画像生成手段は、記憶手段に複数の撮像画像が記憶されている場合、日付が変わる毎に待受画像に使用する撮像画像を変更することを特徴とする請求項１記載の携帯電話機。
【請求項１０】
画像生成手段は、撮像画像を変更する際、乱数を用いて変更することを特徴とする請求項８または請求項９記載の携帯電話機。
【発明の詳細な説明】
【技術分野】
【０００１】
この発明は、ユーザが好みの待受画像をディスプレイに表示することができる携帯電話機に関するものである。
【背景技術】
【０００２】
従来の携帯電話機は、図１１に示すように、任意のキャラクタ画像と時計画像が組み合わされた待受画像が予め複数個用意されている。
したがって、ユーザは自己の好みに応じて待受画像を選択し、その待受画像を携帯電話機のディスプレイに表示することができる。
ここで、待受画像とは、携帯電話機の電源が投入されている状態において、非通話時の画像のことである。
【発明の開示】
【発明が解決しようとする課題】
【０００３】
従来の携帯電話機は以上のように構成されているので、予め用意されている待受画像の中に好みの待受画像がない場合には、好みの待受画像をディスプレイに表示することができず、また、好みの待受画像がある場合でも、長期間使用すると飽きが生じるなどの課題があった。
【０００４】
この発明は上記のような課題を解決するためになされたもので、ユーザが好みの撮像画像を待受画像として、ディスプレイに表示することができる携帯電話機を得ることを目的とする。
【課題を解決するための手段】
【０００５】
この発明に係る携帯電話機は、記憶手段に記憶されている少なくとも１以上の撮像画像のうち、待受画像に使用する撮像画像を選択し、その撮像画像を待受画像としてディスプレイに表示するようにしたものである。
【０００６】
この発明に係る携帯電話機は、時計画像を撮像画像に合成し、合成後の撮像画像をディスプレイに表示するようにしたものである。
【０００７】
この発明に係る携帯電話機は、予め用意された複数の時計画像のうち、撮像画像に合成する時計画像の選択操作を受け付けてその時計画像を設定するようにしたものである。
【０００８】
この発明に係る携帯電話機は、撮像画像に合成する時計画像の大きさの選択操作を受け付けてその時計画像の大きさを設定するようにしたものである。
【０００９】
この発明に係る携帯電話機は、撮像画像に合成する時計画像の表示位置の選択操作を受け付けて、その時計画像の表示位置を設定するようにしたものである。
【００１０】
この発明に係る携帯電話機は、時計画像領域の少なくとも一部を透過して撮像画像と合成するようにしたものである。
【００１１】
この発明に係る携帯電話機は、撮像画像の明度を時計画像の明度より高めて合成するようにしたものである。
【００１２】
この発明に係る携帯電話機は、記憶手段に複数の撮像画像が記憶されている場合、設定時間を経過する毎に待受画像に使用する撮像画像を変更するようにしたものである。
【００１３】
この発明に係る携帯電話機は、記憶手段に複数の撮像画像が記憶されている場合、日付が変わる毎に待受画像に使用する撮像画像を変更するようにしたものである。
【００１４】
この発明に係る携帯電話機は、撮像画像を変更する際、乱数を用いて変更するようにしたものである。
【発明の効果】
【００１５】
この発明によれば、記憶手段に記憶されている少なくとも１以上の撮像画像のうち、待受画像に使用する撮像画像を選択し、その撮像画像を待受画像としてディスプレイに表示するように構成したので、予め用意されている待受画像の中に好みの待受画像がない場合でも、好みの待受画像を表示することができる効果がある。
【００１６】
この発明によれば、時計画像を撮像画像に合成し、合成後の撮像画像をディスプレイに表示するように構成したので、待受画像に時刻や日付を表示することができる効果がある。
【００１７】
この発明によれば、予め用意された複数の時計画像のうち、撮像画像に合成する時計画像の選択操作を受け付けてその時計画像を設定するように構成したので、撮像画像にマッチする時計画像を設定することができる効果がある。
【００１８】
この発明によれば、撮像画像に合成する時計画像の大きさの選択操作を受け付けてその時計画像の大きさを設定するように構成したので、撮像画像にマッチする時計画像を設定することができる効果がある。
【００１９】
この発明によれば、撮像画像に合成する時計画像の表示位置の選択操作を受け付けてその時計画像の表示位置を設定するように構成したので、適切な位置に時刻や日付を表示することができる効果がある。
【００２０】
この発明によれば、撮像画像の明度を時計画像の明度より高めて合成するように構成したので、時計画像の領域に撮像画像を透過表示する場合でも、時計画像を見やすく表示することができる効果がある。
【００２１】
この発明によれば、記憶手段に複数の撮像画像が記憶されている場合、設定時間を経過する毎に待受画像に使用する撮像画像を変更するように構成したので、待受画像の飽きを抑制することができる効果がある。
【００２２】
この発明によれば、記憶手段に複数の撮像画像が記憶されている場合、日付が変わる毎に待受画像に使用する撮像画像を変更するように構成したので、待受画像の飽きを抑制することができる効果がある。
【００２３】
この発明によれば、撮像画像を変更する際、乱数を用いて変更するように構成したので、待受画像の飽きを抑制することができる効果がある。
【発明を実施するための最良の形態】
【００２４】
以下、この発明の実施の一形態を説明する。
実施の形態１．
図１はこの発明の実施の形態１による携帯電話機とディジタルカメラの接続関係を示す接続図であり、図において、１は画像を撮影し、その撮像画像を転送するディジタルカメラ、２はディジタルカメラ１から転送された撮像画像を記憶し、その撮像画像を待受画像としてディスプレイに表示する携帯電話機、３はディジタルカメラ１と携帯電話機２を接続するシリアルケーブルである。
【００２５】
図２はこの発明の実施の形態１による携帯電話機を示す構成図であり、図において、１１は携帯電話機２の無線部、１２はアンテナ、１３は相手先の電話番号の入力や、携帯電話機２の内部状態等を設定する入力キー、１４は相手先の電話番号や待受画像等を表示するディスプレイ、１５はクロック、１６は制御部２０の指示の下、ディジタルカメラ１とデータの送受信を実行し、ディジタルカメラ１から転送された撮像画像を入力する外部データ入出力Ｉ／Ｆ（画像入力手段）である。
【００２６】
１７は外部データ入出力Ｉ／Ｆ１６により入力された撮像画像等を記憶する記憶部（記憶手段）、１７ａは少なくとも１以上の撮像画像を記憶する撮像画像記憶領域、１７ｂは各種の時計フォントデータを記憶する時計フォントデータ記憶領域、１７ｃは時計画像の表示位置や大きさが定義されたテーブルを記憶する定義データ領域、１７ｄは待受画像を生成する待受画像生成領域である。
【００２７】
１８は記憶部１７の撮像画像記憶領域１７ａに記憶されている撮像画像と時計画像を合成して、待受画像を生成する待受画像生成部（画像生成手段）、１９は乱数を発生する乱数発生器、２０は携帯電話機２の各構成部材を制御するとともに、待受画像生成部１８により生成された待受画像をディスプレイ１４に表示する制御部（画像生成手段）である。
なお、入力キー１３と制御部２０から設定手段が構成される。
【００２８】
次に動作について説明する。
最初にディジタルカメラ１により撮影された撮像画像の転送動作を図３のフローチャートを参照して説明する。
まず、ユーザがディジタルカメラ１を用いて画像を撮影し、その撮像画像を携帯電話機２に転送する場合、ディジタルカメラ１の操作キーを操作して、ディジタルカメラ１に保存されている複数の撮像画像の中で、携帯電話機２に転送する撮像画像を選択する（ステップＳＴ１）。
【００２９】
そして、ユーザは、携帯電話機２に転送する撮像画像を選択すると、ディジタルカメラ１の操作キーを操作して、その撮像画像の登録番号を設定する（ステップＳＴ２）。
即ち、携帯電話機２の記憶部１７における撮像画像記憶領域１７ａには、図４に示すように、複数の撮像画像を記憶することができるので、その撮像画像を記憶する画像記憶領域を識別するための登録番号を設定する。
【００３０】
このようにして、撮像画像の登録番号が設定されると、その登録番号が外部データ入出力Ｉ／Ｆ１６を介して携帯電話機２の制御部２０に入力される（ステップＳＴ３）。
制御部２０は、撮像画像の登録番号を受けると、その登録番号に対応する画像記憶領域に撮像画像が既に記憶されているか否かを判定し、撮像画像が未だ記憶されていない場合には、外部データ入出力Ｉ／Ｆ１６を介して、撮像画像の転送をディジタルカメラ１に要求し、ディジタルカメラ１から撮像画像を受信する（ステップＳＴ４，ＳＴ６）。
【００３１】
一方、撮像画像が既に記憶されている場合には、その登録番号に上書きしても良いか否かのメッセージをディスプレイ１４に表示し、ユーザから入力キー１３を通じて、上書きしても良い旨の情報を受けた場合に限り、外部データ入出力Ｉ／Ｆ１６を介して、撮像画像の転送をディジタルカメラ１に要求し、ディジタルカメラ１から撮像画像を受信する（ステップＳＴ４〜ＳＴ６）。
【００３２】
そして、制御部２０は、外部データ入出力Ｉ／Ｆ１６を介して、ディジタルカメラ１から撮像画像を受けると、先に受けた登録番号に対応する画像記憶領域（撮像画像記憶領域１７ａ内の記憶領域）に撮像画像を記憶する（ステップＳＴ７）。
【００３３】
次に、ディスプレイ１４に対する待受画像の表示動作を図５のフローチャートを参照して説明する。
ユーザが記憶部１７の撮像画像記憶領域１７ａに記憶されている撮像画像のうち、待受画像に使用する撮像画像を選択する（ステップＳＴ１１）。
具体的には、ユーザが入力キー１３を用いて、待受画像に使用する撮像画像の登録番号を入力することにより、表示対象の撮像画像を選択する。例えば、待受画像の設定を受け付ける入力キー１３を操作すると、撮像画像記憶領域１７ａに記憶されている撮像画像が、その登録番号と一緒に順番にディスプレイ１４に表示されるので、好みの撮像画像を選択することができる。
【００３４】
また、ユーザは待受画像に時刻や日付を表示する場合には、その時刻や日付を示す時計フォントを選択する（ステップＳＴ１２）。
即ち、複数種類の時計フォントデータが記憶部１７の時計フォントデータ記憶領域１７ｂに格納されているので（図１１の時計画像を参照）、ユーザが入力キー１３を用いて、待受画像に表示する時計フォントデータのフォント番号を入力することにより、時計フォントデータを選択する。例えば、時計フォントデータの選択を受け付ける入力キー１３を操作すると、時計フォントデータ記憶領域１７ｂに記憶されている時計フォントデータが、そのフォント番号と一緒に順番にディスプレイ１４に表示されるので、好みの時計フォントを選択することができる。
【００３５】
ユーザは、時計フォントを選択する際、その時計画像の表示位置と大きさを設定する（ステップＳＴ１３）。
即ち、記憶部１７の定義データ領域１７ｃには、図６に示すように、時計画像の表示位置と大きさが定義されたテーブルが記憶されているので、ユーザが入力キー１３を用いて、選択番号を入力することにより、時計画像の表示位置と大きさを設定する。
【００３６】
上記のようにして、待受画像に使用する撮像画像や時計フォントが選択されると、待受画像生成部１８は、制御部２０から、選択された撮像画像と時計フォントの情報等を取得する（ステップＳＴ１４）。
待受画像生成部１８は、選択された撮像画像と時計フォントの情報等を取得すると、その撮像画像の画像データを撮像画像記憶領域１７ａから待受画像生成領域１７ｄにコピーするとともに（ステップＳＴ１５）、現在時刻をクロック１５から取得し、その現在時刻と時計フォントデータ及びフォントの大きさ情報から時計画像を生成する（ステップＳＴ１６）。
【００３７】
そして、待受画像生成部１８は、時計画像を生成すると、その時計画像を待受画像生成領域１７ｄ中の撮像画像に合成して、待受画像を生成する（ステップＳＴ１７）。ただし、撮像画像と時計画像を合成する際、時計の表示位置が適切になるように、先に設定した表示位置情報を参照して合成する。
なお、待受画像生成部１８は、時刻が変わる毎に待受画像を更新する。
【００３８】
制御部２０は、待受画像生成部１８が待受画像を生成すると、待受画像生成領域１７ｄから待受画像を読み込んで、図７に示すように、その待受画像をディスプレイ１４に表示する（ステップＳＴ１８）。
【００３９】
以上で明らかなように、この実施の形態１によれば、記憶部１７の撮像画像記憶領域１７ａに記憶されている少なくとも１以上の撮像画像のうち、待受画像に使用する撮像画像を選択し、その撮像画像をディスプレイ１４に表示するように構成したので、予め用意されている待受画像の中に好みの待受画像がない場合でも、好みの待受画像を表示することができる効果を奏する。
【００４０】
実施の形態２．
上記実施の形態１では、時計画像を撮像画像に合成する際、その時計画像の領域には撮像画像が全く表示されないように合成するものについて示したが（撮像画像の画像領域と時計画像の画像領域を完全に分けている）、多値画像の表示が可能なディスプレイ１４が使用される場合には、図８に示すように、時計画像の領域にも撮像画像が透過して表示されるように合成してもよい。
【００４１】
ただし、この場合には、撮像画像の明度を時計画像の明度より高めて合成するようにする。例えば、時計画像を黒色で表示する場合には、撮像画像を灰色で表示するようにする。
これにより、時計画像の領域に撮像画像を透過表示する場合でも、時計画像を見やすく表示することができる効果を奏する。
【００４２】
実施の形態３．
上記実施の形態１では、複数の撮像画像が記憶部１７の撮像画像記憶領域１７ａに記憶されている場合、待受画像に使用する撮像画像を１個選択し、その撮像画像をディスプレイ１４に表示するものについて示したが、待受画像生成部１８が設定時間を経過する毎（例えば、１分を経過する毎）に、待受画像に使用する撮像画像を変更するようにしてもよい。
【００４３】
例えば、１分を経過する毎に、撮像画像の登録番号を順番に１個増やすことにより、待受画像に使用する撮像画像を変更してもよいし、また、乱数発生器１９が発生する乱数を撮像画像の登録番号として使用することにより、待受画像に使用する撮像画像を変更してもよい。
これにより、待受画像が周期的に変化するため、待受画像の飽きを抑制することができる効果を奏する。
【００４４】
実施の形態４．
上記実施の形態３では、待受画像生成部１８が設定時間を経過する毎に、待受画像に使用する撮像画像を変更するものについて示したが、日付が変わる毎に待受画像に使用する撮像画像を変更してもよく、上記実施の形態３と同様の効果を奏することができる。
【００４５】
実施の形態５．
上記実施の形態１〜４では、撮像画像の画像サイズが待受画像の画像サイズと一致するものについて示したが、図９に示すように、撮像画像の画像サイズが待受画像の画像サイズより大きい場合、その撮像画像を分割して複数の分割画像を記憶し、待受画像生成部１８が時間の経過に伴って順番に分割画像を選択してディスプレイ１４に表示するようにしてもよい。
【００４６】
即ち、撮像画像の画像サイズが待受画像の画像サイズより大きい場合、その撮像画像を分割して、複数の分割画像を記憶部１７の撮像画像記憶領域１７ａに記憶するようにする。図９の例では撮像画像を３分割し、分割画像Ａを登録番号１の画像記憶領域に記憶し、分割画像Ｂを登録番号２の画像記憶領域に記憶し、分割画像Ｃを登録番号３の画像記憶領域に記憶するようにしている。
なお、撮像画像を分割する際、相互に隣接する分割画像の一部が重複するように分割する（分割画像Ａと分割画像Ｂ、及び、分割画像Ｂと分割画像Ｃは、画像の一部を共有している）。
【００４７】
このようにして、撮像画像を分割して複数の分割画像を記憶すると、待受画像生成部１８は、例えば、時刻又は日付が変わる毎に、待受画像に使用する分割画像を変更する。
例えば、分割画像Ａ→分割画像Ｂ→分割画像Ｃ→分割画像Ａの順番で、待受画像に使用する分割画像を変更するようにする。
【００４８】
以上で明らかなように、この実施の形態５によれば、時間の経過に伴って順番に分割画像を選択してディスプレイ１４に表示するように構成したので、撮像画像の画像サイズが待受画像の画像サイズより大きい場合でも、その撮像画像を待受画像として表示することができるとともに、時間の経過を感覚的に味わうことができる効果を奏する。
また、撮像画像を分割する際、相互に隣接する分割画像の一部が重複するように分割するので、待受画像の変更に伴う違和感を解消することができる効果を奏する。即ち、待受画像が連続的に流れているように感じ取ることができる効果を奏する。
【００４９】
実施の形態６．
上記実施の形態５では、時間の経過に伴って待受画像に使用する分割画像を変更するものについて示したが、記憶部１７の撮像画像記憶領域１７ａに記憶された撮像画像の画像サイズが待受画像の画像サイズより大きい場合、図１０に示すように、ディスプレイ１４に表示する撮像画像の画像領域を時間の経過に伴って移動するようにしてもよい。
【００５０】
即ち、撮像画像の横方向の画像サイズが待受画像の画像サイズより大きい場合、図１０に示すように、ディスプレイに表示する撮像画像の画像領域を横方向に移動するようにする。
例えば、１分経過する毎に、画像領域の横方向の座標を１ドットシフトするようにすればよい。
ただし、画像領域が右側に移動する場合、画像領域の右端が撮像画像の右端に到達すると、画像領域の左端を撮像画像の左端に戻すようにする。
一方、撮像画像の縦方向の画像サイズが待受画像の画像サイズより大きい場合、ディスプレイに表示する撮像画像の画像領域を縦方向に移動するようにする。
【００５１】
これにより、上記実施の形態５よりも、撮像画像をスムーズにスクロールすることができる効果を奏する。
【図面の簡単な説明】
【００５２】
【図１】この発明の実施の形態１による携帯電話機とディジタルカメラの接続関係を示す接続図である。
【図２】この発明の実施の形態１による携帯電話機を示す構成図である。
【図３】ディジタルカメラにより撮影された撮像画像の転送動作を示すフローチャートである。
【図４】登録番号と撮像画像の関係を示す表図である。
【図５】ディスプレイに対する待受画像の表示動作を示すフローチャートである。
【図６】選択番号と表示位置等の関係を示す表図である。
【図７】ディスプレイに表示される待受画像を示す画像図である。
【図８】ディスプレイに表示される待受画像を示す画像図である。
【図９】撮像画像の分割を説明する説明図である。
【図１０】画像領域の移動を説明する説明図である。
【図１１】予め用意された待受画像を示す画像図である。
【符号の説明】
【００５３】
２  携帯電話機、１３  入力キー（設定手段）、１４  ディスプレイ、１６  外部データ入出力Ｉ／Ｆ（画像入力手段）、１７  記憶部（記憶手段）、１８  待受画像生成部（画像生成手段）、２０  制御部（画像生成手段、設定手段）。
【図１】
2005039859.tif 000003
【図２】
2005039859.tif 000004
【図３】
2005039859.tif 000005
【図４】
2005039859.tif 000006
【図５】
2005039859.tif 000007
【図６】
2005039859.tif 000008
【図７】
2005039859.tif 000009
【図８】
2005039859.tif 000010
【図９】
2005039859.tif 000011
【図１０】
2005039859.tif 000012
【図１１】
2005039859.tif 000013